(57)【要約】【課題】  患者取り違えなどのリスクを軽減しつつ、検査実施を容易化することを目的とする。【解決手段】  本発明の放射線撮影制御装置は、上記課題を鑑みてなされたものであり、検査オーダをネットワーク経由で取得する検査オーダ取得手段と、前記検査オーダを取得する際の検索条件を指定する検索条件指定手段と、前記検査オーダ取得手段による取得結果が撮影開始条件を満たす場合に撮影準備処理を実施する撮影準備手段と、を有することを特徴とする【選択図】  図１
2014000132.tif 000002
【特許請求の範囲】
【請求項１】
検査オーダをネットワーク経由で取得する検査オーダ取得手段と、
前記検査オーダを取得する際の検索条件を指定する検索条件指定手段と、
前記検査オーダ取得手段による取得結果が撮影開始条件を満たす場合に撮影準備処理を実施する撮影準備手段と、
を有することを特徴とする放射線撮影制御装置。
【請求項２】
前記撮影開始条件は、取得された検査オーダが１件の検査オーダであることを特徴とする請求項１に記載の放射線撮影制御装置。
【請求項３】
前記撮影開始条件は、取得された検査オーダが同一患者の検査オーダであることを特徴とする請求項１に記載の放射線撮影制御装置。
【請求項４】
前記撮影開始条件とは、取得した検査オーダに定められた撮影方法の撮影に使用する撮像装置が全て同じであることを特徴とする請求項１に記載の放射線撮影制御装置。
【請求項５】
検査オーダの内容に従って撮影を実施する撮影画面を有し、
前記撮影準備手段は前記撮影画面へと画面表示を切り替えることを特徴とする請求項１から４に記載の放射線撮影制御装置。
【請求項６】
前記検査オーダには、撮影方法が定められており、
前記撮影準備手段は、該撮影方法の撮影に使用する検出器の初期駆動を開始し、放射線の蓄積待機状態へ遷移することを特徴とする請求項１乃至５のいずれか１項に記載の放射線撮影制御装置。
【請求項７】
更に、放射線発生装置へ撮影条件を通知する撮影条件通知手を有し、
前記撮影準備手段は、前記撮影条件通知手段により、前記検査オーダにより規定される撮影方法の撮影条件を放射線発生装置に通知することを特徴とする請求項１乃至６のいずれか１項に記載の放射線撮影制御装置。
【請求項８】
検査オーダ取得手段が、検査オーダをネットワーク経由で取得する検査オーダ取得工程と、
検索条件指定手段が、前記検査オーダを取得する際の検索条件を指定する検索条件指定工程と、
撮影準備手段が、前記検査オーダ取得手段による取得結果が撮影開始条件を満たす場合に撮影準備処理を実施する撮影準備工程と、
を有することを特徴とする放射線撮影制御方法。
【請求項９】
コンピュータを、
検査オーダをネットワーク経由で取得する検査オーダ取得手段と、
前記検査オーダを取得する際の検索条件を指定する検索条件指定手段と、
前記検査オーダ取得手段による取得結果が撮影開始条件を満たす場合に撮影準備処理を実施する撮影準備手段と、
を有することを特徴とする放射線撮影制御装置として機能させるコンピュータ読み取り可能な記録媒体に記録されたコンピュータプログラム。
【発明の詳細な説明】
【技術分野】
【０００１】
本発明は、Ｘ線撮影画像の送受信を行うための放射線撮影制御装置および方法に関する。
【背景技術】
【０００２】
近年病院では、ネットワーク接続による病院情報システムが構築されている。例えば、Ｘ線撮影が必要と判断されると、ＨＩＳ（Ｈｏｓｐｉｔａｌ  Ｉｎｆｏｒｍａｔｉｏｎ  Ｓｙｓｔｅｍ）端末より検査指示を入力し、依頼先である放射線部門に伝達する。
この依頼情報を検査オーダといい、この検査オーダには依頼元の部門名や、検査項目、患者の個人データなどが含まれる。放射線部門はＲＩＳ（Ｒａｄｉｏｌｏｇｙ  Ｉｎｆｏｒｍａｔｉｏｎ  Ｓｙｓｔｅｍ）にて検査オーダを受信すると、撮影条件などを付加し、Ｘ線検査システムへ転送する。Ｘ線検査システムでは受信した検査オーダに従ってＸ線撮影を実施する。撮影された画像は検査情報に付与し、ＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍｓ）への転送やプリント出力が行われる。Ｘ線検査システムでは、例えば患者ＩＤや検査時刻などの検索条件を指定し、検査オーダを受信する場合もある。
【先行技術文献】
【特許文献】
【０００３】
【特許文献１】特開２００６−８１７６１号公報
【発明の概要】
【発明が解決しようとする課題】
【０００４】
特許文献１に開示されている方法では、ユーザーが患者ＩＤや検査時刻などの検索条件
を設定し、当該検索条件に当てはまる検査オーダをリスト化して表示する。
単一の検査結果のみでも、ユーザーに対して選択指示を要求するなど、ユーザーの利便性の点で課題が残っていた。本発明は、上記課題を鑑みてなされたものであり、患者取り違えなどのリスクを軽減しつつ、検査実施を容易化することを目的とする。
【課題を解決するための手段】
【０００５】
本発明の放射線撮影システムは、上記課題を鑑みてなされたものであり、検査オーダをネットワーク経由で取得する検査オーダ取得手段と、
前記検査オーダを取得する際の検索条件を指定する検索条件指定手段と、
前記検査オーダ取得手段による取得結果が撮影開始条件を満たす場合に撮影準備処理を実施する撮影準備手段と、
を有する。
【発明の効果】
【０００６】
本発明によれば、患者取り違えのリスクを軽減しつつ、検査実施を容易化することができる。
【図面の簡単な説明】
【０００７】
【図１】本実施形態に関わる医療用検査システムの装置構成図である
【図２】検索条件入力画面の例である
【図３】新規検査入力画面の例である
【図４】撮影画面の例である
【図５】第一の実施形態におけるフローチャートである
【図６】第二の実施形態におけるフローチャートである
【発明を実施するための形態】
【０００８】
以下、本発明の一実施の形態について添付図面を参照して詳細に説明する。なお、以下に示す実施形態においては、放射線としてＸ線を適用した場合を例に挙げて説明するが、放射線は、Ｘ線に限られず、例えば、電磁波やα線、β線、γ線などであってもよい。
【０００９】
（第一の実施形態）
【００１０】
図１は、本発明の一実施の形態に係わる放射線撮影システム（以下、Ｘ線撮影システムと呼ぶ）の構成の一例を示す図である。
【００１１】
Ｘ線撮影システムでは、Ｘ線撮影装置１と、ＲＩＳ（放射線部門内情報システム）１２と、ＰＡＣＳ（画像サーバ）１３と、ＨＩＳ（院内情報システム）１１とが接続されている。これら各装置間は、例えば、ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）等で構成される通信手段１５を介して接続される。なお、これら各装置には、１又は複数のコンピュータが含まれる。コンピュータには、例えば、ＣＰＵ等の主制御手段、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等の記憶手段が具備される。また、コンピュータには、ネットワークカード等の通信手段、キーボード、ディスプレイ又はタッチパネル等の入出力手段等、が具備されていてもよい。これら各構成手段は、バス等により接続され、主制御手段が記憶手段に記憶されたプログラムを実行することで制御される。
【００１２】
ここで、Ｘ線撮影装置１は、撮影装置表示部２と、撮影装置操作部３と、撮影装置制御部５と、Ｘ線発生装置制御部４とを具備して構成される。
【００１３】
Ｘ線発生装置制御部４は、ケーブル９を介してＸ線発生部８に接続されており、当該Ｘ線発生部８からのＸ線の照射を制御する。ここで、Ｘ線発生部８（８ａ、８ｂ）は、放射線発生部として機能する。Ｘ線発生部８は、例えば、Ｘ線管球により実現され、被写体（例えば、患者の特定部位）に向けてＸ線を照射する。
【００１４】
撮影装置操作部３は、Ｘ線撮影装置１における処理を統括制御する。撮影装置表示部２は、例えば、液晶ディスプレイ等で実現され、各種情報をオペレータ（撮影技師、医師）に向けて表示する。撮影装置操作部３は、例えば、マウスや操作ボタン等で実現され、オペレータからの各種指示を装置内に入力する。なお、撮影装置表示部２及び撮影装置操作部３は、それらが一体となったタッチパネルで実現されてもよい。
【００１５】
Ｘ線撮影装置１は、ケーブル１０を介してＸ線検出器７（７ａ、７ｂ）に接続されており、当該ケーブル１０により両者の間では、電源、画像信号や制御信号等が授受される。Ｘ線検出器７は、被写体を透過したＸ線を検出し、当該被写体に基づくＸ線画像（放射線画像）を取得する検出器として機能する。すなわち、Ｘ線発生部８及びＸ線検出器７が連携して動作することによりＸ線撮影部が実現される。なお、Ｘ線検出器７は、立位及び臥位の撮影台６（６ａ、６ｂ）に設置されている。
【００１６】
以上がＸ線撮影システムの構成の一例についての説明である。なお、図１に示す構成は、あくまで一例であり、適宜変更できる。例えば、図１では、Ｘ線撮影装置１に対して通信手段１５を介して各種装置が接続されているが、必ずしもＸ線撮影装置１は、このような装置と接続される必要はない。
【００１７】
ここで、図１に示すＸ線撮影システムにおいて、検査の流れに沿ってＸ線画像を撮影する際の処理の流れについて説明する。
【００１８】
Ｘ線撮影装置１は、撮影装置表示部２において、図２に示す検索条件入力画面を表示する。検索条件入力画面は、図２に示すように、患者・検査情報入力部と、検査取得ボタンと、キャンセルボタンを含んで構成される。
【００１９】
ＲＩＳから検査を取得する場合、患者・検査情報入力部１２０に実施する検査の患者情報（患者名、患者ＩＤ等）および検査情報（検査ＩＤ、検査日時等）を入力する。情報の入力後、検査取得ボタン１２１の押下に伴い、Ｘ線撮影装置１はネットワークを介してＲＩＳ１２に検索条件入力画面で入力した検索条件を含む検査取得要求を通知する。検査取得要求を受けたＲＩＳ１２は、検索条件に合致する検査をＸ線撮影装置１へ返却する。
【００２０】
ＲＩＳ１２より検査を取得したＸ線撮影装置１は、撮影装置表示部２において、図３に示す新規検査入力画面を表示する。新規検査入力画面は、図３（ａ）に示すように、患者情報入力領域１０１と、患者情報確定ボタン１０２と、依頼検査リスト１０３と、患者情報表示領域１０４と、撮影情報表示領域１０５と、撮影情報入力ボタン１０６と、検査開始ボタン１０７とを含んで構成される。
【００２１】
依頼検査リスト１０３には、ＲＩＳ１２より取得した検査が一覧表示される。依頼検査リスト１０３よりいずれかの検査を選択すると、図３（ｂ）に示すように、患者情報表示領域１０４には、当該選択された患者に対応する患者情報（患者ＩＤ、患者名、生年月日等）が表示される。また、撮影情報表示領域１０５には、検査ＩＤが表示され、その直ぐ下の領域には、当該検査ＩＤに対応する撮影情報が表示される。撮影情報は、上述した通り、ＲＩＳ１２から受信する。図２の場合、撮影情報に対応した撮影方法ボタン（胸部正面ボタン１０９ａ、胸部側面ボタン１０９ｂ）１０９が配されている。撮影情報入力ボタン１０６を押下に伴って、図２（ｃ）に示すように撮影情報入力領域を表示し、さらに撮影方法を追加することもできる。
【００２２】
オペレータは、患者情報及び撮影情報を確認した後、検査開始ボタン１０７を押下する。これにより、実施する検査が確定する。
【００２３】
検査開始ボタン１０７の押下に伴って、Ｘ線撮影装置１は、撮影装置表示部２において、図３に示す撮影画面を表示する。撮影画面は、撮影時に用いられる画面である。
【００２４】
撮影画面は、基本的には、図３で説明した新規検査入力画面と同様の表示領域を有して構成される。新たに追加される表示領域としては、図４に示すように、画像表示領域１１０と、メッセージ領域１１１と、画像処理設定領域１１２と、検査終了ボタン１１３とが挙げられる。
【００２５】
撮影画面が表示されると、撮影情報表示領域１０５内で最も上部に配された撮影方法ボタン１０９ａがデフォルトで選択状態になっている。これに伴って、Ｘ線撮影装置１は、撮影装置制御部５において、当該撮影方法ボタン（撮影方法）に対応して設定された撮影条件（管電圧、管電流、照射時間等）をＸ線発生装置制御部４に向けて送信する。すると、撮影装置制御部５は、当該撮影条件に従ってＸ線検出器７を制御して撮影の準備を整える。
【００２６】
準備が整うと、Ｘ線撮影装置１は、撮影可能状態へ遷移する。このとき、メッセージ領域１１１には、撮影可能状態であることを示す「Ｒｅａｄｙメッセージ」が表示される。
【００２７】
続いて、オペレータは、撮影方法を確認し、撮影のセッティング及び患者のポジショニングを行なう。一連の撮影準備が完了すると、オペレータは、メッセージ領域１１１を参照して撮影可能状態であることを確認した後、Ｘ線照射スイッチ（不図示）を押下する。すると、Ｘ線撮影装置１は、Ｘ線発生部８において、被写体（患者の特定部位）に向けてＸ線を照射させ、Ｘ線検出器７において、当該被写体を透過したＸ線を検出させる。これにより、Ｘ線画像の撮影が行なわれる。
【００２８】
撮影が済むと、Ｘ線撮影装置１は、撮影装置制御部５において、Ｘ線検出器７から撮影画像を取得するとともに、当該取得した撮影画像に対して所定の画像処理条件に基づいて画像処理を実施する。所定の画像処理条件は、撮影方法に対応して予め規定されている。
【００２９】
画像処理が終了すると、Ｘ線撮影装置１は、当該画像処理された撮影画像を撮影画像表示領域１１０に表示する。オペレータは、例えば、当該撮影画像のコントラスト等を変更したい場合、画像処理設定領域１１２に設けられたコントラストや輝度等のボタンを操作する。これにより、オペレータは、当該撮影画像表示領域１１０に表示された撮影画像に対して追加の画像処理を実施できる。なお、オペレータが、未撮影の撮影方法ボタン１０９を押下した場合には、当該画像の撮影条件、画像処理条件を保存し、次の撮影が始まる。
【００３０】
オペレータは、上述した手順を繰り返して撮影情報表示領域１０５内の全撮影方法の撮影を実施する。全ての撮影が終了すると、オペレータは、検査終了ボタン１１３を押下する。これにより、一連の検査が終了し、Ｘ線撮影装置１は、再度、検索条件入力画面を表示する。このとき、Ｘ線撮影装置１は、撮影装置制御部５において、撮影画像や検査情報等を、例えば、ＰＡＣＳ１３、プリンタ（不図示）、ＲＩＳ１２、自装置におけるＲＯＭ等に出力する。なお、ＲＩＳ１２やＲＯＭ等においては、当該撮影画像と患者情報とを関連付けて格納する。
【００３１】
次に、図５に示すフローチャートを用いて、本実施の形態におけるＸ線撮影システムの動作について具体的に説明する。
【００３２】
図５において、ステップＳ３０１では、取得する検査の検索条件を入力する。
【００３３】
ステップＳ３０２ではステップＳ３０１にて指定した検索条件に合致する検査をＲＩＳより取得する。
【００３４】
ステップＳ３０３では、ＲＩＳ１２より取得した検査が撮影準備条件に合致するかを確認する。ここで、撮影準備条件は、開始する検査の選択肢が１通りしかないことを確認する条件である。「取得した検査が１件であること」でもよいし、同一患者の検査を複数実施可能なのであれば「取得した検査が全て同一患者の検査であること」でもよい。
【００３５】
撮影準備条件を満たす場合、ステップＳ３０４で撮影準備を行う。撮影準備には、撮影画面の表示や、Ｘ線検出器７の駆動制御や、Ｘ線発生装置への撮影条件の通知などが含まれる。
【００３６】
ステップＳ３０５では、上記の撮影準備が全て終了した後、撮影可能状態となる。
【００３７】
ステップＳ３０３にて撮影準備条件を満たさない場合、ステップＳ３０６で依頼検査リストより実施する検査を選択し、検査開始を指示することで撮影準備を実施する。
【００３８】
以上、説明したように実施形態１によれば、撮影準備条件を満たすよう検索条件を設定することで、依頼検査リストからの検査選択操作および検査開始指示操作が不要となる。また、自動的に検査開始準備を実施し、撮影可能状態へ遷移するため、容易に検査を実施することができる。
【００３９】
検査の取得手段として、ネットワークを介してＲＩＳ１３と通信する例を述べたが、例えばファイルによる入力などネットワークを介さない検査取得方法でもよい。また、検索手段として、例えば検索フィールドやバーコードリーダーなどを利用して、依頼検査リストを絞り込む手段を設け、絞込み結果に対して撮影準備条件を適用してもよい。
【００４０】
（第二の実施形態）
次に、実施形態２について説明する。Ｘ線検出器７の駆動モードとして、例えば、撮像素子に電圧が印加されておりＸ線の照射によりＸ線画像を取得できる撮影モードと、撮像素子への電圧の印加が停止されている待機モードがある。本実施形態では、検査取得結果に応じてＸ線検出器７の駆動制御を実施することで撮影可能状態への遷移時間を短縮する場合について図５に示すフローチャートを用いて説明する。
【００４１】
ステップＳ３０１、ステップＳ３０２、ステップＳ３０３は実施形態１と同様のため、説明を省略する。
【００４２】
ステップＳ３０３において撮影準備条件を満たさない場合、ステップＳ３０７において取得した検査の撮影に使用するＸ線検出器が全て同じであるかを確認する。複数のＸ線検出器を使用する検査も考えられるため、先頭の撮影に使用するＸ線検出器７が全て同じであるかで判定してもよい。
【００４３】
全て同じＸ線検出器７が使用される場合、ステップＳ３０８において、Ｘ線検出器７に照射許可信号（駆動信号）を送信する。これに伴ってＸ線検出器７は撮像素子に電圧を加え、上記の撮影モードへと移行を開始する。
【００４４】
次に、ステップＳ３０６において依頼検査リストより実施する検査を選択し、検査開始を指示する。
【００４５】
この場合、ステップＳ３０８で実施したＸ線検出器７の撮影モードへの駆動制御はスキップされ、ステップＳ３０４の撮影準備が簡略化される。尚、上記第一の実施形態および第二の実施形態においてなされた放射線撮影制御のフローは、コンピュータ読み取り可能な記録媒体に記録されたコンピュータプログラムが読み取り、放射線撮影制御装置として機能するコンピュータが実施してもよい。
【図１】
2014000132.tif 000003
【図２】
2014000132.tif 000004
【図３】
2014000132.tif 000005
【図４】
2014000132.tif 000006
【図５】
2014000132.tif 000007
【図６】
2014000132.tif 000008